(57)【要約】      （修正有）【課題】酸化力・殺菌力のある活性種を含むミストを生成し、設計自由度の高いミスト生成装置及びミスト生成方法を提供する。【解決手段】パルス電源１０１と、前記パルス電源の端部に接続された一対の電極１０２，１０３とを有し、前記電極のうち一方の電極の少なくとも一部の領域を誘電体１０５で覆い、前記誘電体と前記他方の電極との間に、前記誘電体に液面が接するように液体を介在させ、前記一方の電極が第一の平面を、前記他方の電極が第二の平面を備えている場合は、前記第一の平面と前記第二の平面とが非平行となるよう、前記一対の電極を配置させ、前記一方の電極が複数の突出部を備えている場合は、前記複数の突出部の一方を第一の点、他方を第二の点と定め、前記第一の点から前記他方の電極までの最短距離である第一距離と、前記第二の点から前記他方の電極までの最短距離である第二距離とが異なるよう、前記一対の電極を配置させる。【選択図】図１
2010167012.tif 000002
【特許請求の範囲】
【請求項１】
パルス電源と、
前記パルス電源の端部に接続された一対の電極とを有し、
前記電極のうち一方の電極の少なくとも一部の領域が誘電体で覆われてなるミスト生成装置であって、
前記誘電体と前記他方の電極との間に、
前記誘電体に液面が接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴とするミスト生成装置。
【請求項２】
パルス電源と、
前記パルス電源の端部に接続された一対の電極とを有し、
前記一対の電極の少なくとも一部の領域が誘電体で覆われてなるミスト生成装置であって、
前記誘電体同士の間に、誘電体が液面に接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴とするミスト生成装置。
【請求項３】
パルス電源と、
前記パルス電源の端部に接続された一対の電極とを有し、
前記一対の電極のうち一方の少なくとも一部の領域が誘電体で覆われてなるミスト生成装置であって、
前記誘電体と前記他方の電極との間に、
前記誘電体に液面が接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴とするミスト生成方法。
【請求項４】
パルス電源と、
前記パルス電源の端部に接続された一対の電極とを有し、
前記一対の電極の少なくとも一部の領域が誘電体で覆われてなるミスト生成装置であって、
前記誘電体同士の間に、誘電体が液面に接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴とするミスト生成方法。
【請求項５】
前記一方の電極が第一の面を、前記他方の電極が第二の面を備えている時、
前記第一の面の法線ベクトルと、前記第二の面の法線ベクトルとが交差しないよう、
前記一対の電極を配置させる
ことを特徴とする請求項１または２に記載のミスト生成装置。
【請求項６】
前記一方の電極が第一の面を、前記他方の電極が第二の面を備えている時、
前記第一の面の法線ベクトルと、前記第二の面の法線ベクトルとが交差しないよう、
前記一対の電極を配置させる
ことを特徴とする請求項３または４に記載のミスト生成方法。
【発明の詳細な説明】
【技術分野】
【０００１】
本発明は、液相と誘電体（固相）との間の気相で放電を発生させて、酸化種を含んだミストを生成可能としたミスト生成装置及び方法に関する発明である。
【背景技術】
【０００２】
従来から高電圧を電極間に印加して、水中で発生させた放電を利用する技術が知られている（例えば、特許文献１）。
【０００３】
特許文献１に記載のミスト生成装置は、水中での放電によりこの水を改質するようになっており、その具体的な構成として、放電容器内の水に非接触状態で対向配置された電極に正負反転の非対称な波形を有する交流パルス電圧を印加し、電位反転の際に誘起されて放電容器内に発生する電場により水中放電を行うようになっている。そして、この構成によって水の改質を行うようになっている。
【０００４】
また、従来から酸化種を含んだミストを利用して、空間の殺菌を行なう技術が知られている（例えば、特許文献２乃至特許文献４参照。）。 
かかる特許文献２に記載のミスト生成装置は、空気から酸化種を生成するための沿面放電素子と、ミストを混入するための噴霧ノズルとで構成されている。そして、この２つの素子によって、酸化種を含むミストを噴霧し、空間の殺菌を可能としている。
【０００５】
また、特許文献３に記載のミスト生成装置は、電極を針状の多孔質吸水体として、毛細管現象を用いることにより、水を針電極の先端に輸送させ、放電させながら静電霧化させる。これにより、１つのデバイスで酸化種を含んだミストの生成を可能としている。
また、特許文献４に記載のミスト生成装置は、電極を針状の金属として、電極の冷却によって結露した水を用いて放電させる。これにより、1つのデバイスで酸化種を含んだミストを給水不要で生成可能としている。
【先行技術文献】
【特許文献】
【０００６】
【特許文献１】特表２００１−５０７２７４号公報
【特許文献２】特開２００６−１０９９２４号公報
【特許文献３】特開２００４−３５８３５８号公報
【特許文献４】特開２００８−１５５１４５号公報
【発明の概要】
【発明が解決しようとする課題】
【０００７】
特許文献１に記載の技術は水中放電の技術であり、印加する電圧をパルス波形の先行する一方の極性の持続時間を水分子の双極子モーメントの応答に合わせて比較的長く、それに続く他方の極性への反転時間を分極磁場の保存のため、比較的短い時間で急峻に変化するような非対称波形にすることが必要である。したがって、原理的には電極の単位面積あたりの水中放電量を効率良く発生させようとすると、電場が均一に存在する必要があり、一対の電極はそれぞれの平面が平行でなければならない。例えば、一対の電極のそれぞれの平面が非平行な場合には、電場が不均一（密な部分と疎な部分が発生する）になり、広範囲に水中放電が発生せず、エネルギーの熱損失が発生する可能性がある。最悪の場合には水中放電が発生しなくなる可能性がある。また、水中での放電を利用した水の改質を目的とした発明であり、酸化種を含んだミストの生成を積極的に行うものではない。
【０００８】
特許文献２に記載の発明では、沿面放電素子と噴霧ノズルの２つのデバイスによって構成されており、部品点数が多いため機械的劣化が生じやすく、装置形状が複雑で大型化する。
【０００９】
特許文献３に記載の発明では、電極は多孔質吸水体と複雑な形状の電極を作成する必要がある。また、電極が多孔質であるために防汚性及び清掃性が低い。
【００１０】
特許文献４に記載の発明では、電極は金属塊であるため、放電による金属酸化が生じ、酸化種生成能及びミスト生成能の低下が生じる。
【００１１】
本発明は装置の大型化を必要とせずに、設計の自由度が高く、装置のメンテナンス性、性能劣化のしやすいといった問題を解決するためになされたもので、本発明の目的は、酸化力・殺菌力のある活性種を含むミストを生成し、設計自由度の高いミスト生成装置及びミスト生成方法を提供することにある。
【課題を解決するための手段】
【００１２】
上述した課題を解決するために、本発明のミスト生成装置は、
パルス電源と、
前記パルス電源の端部に接続された一対の電極とを有し、
前記電極のうち一方の電極の少なくとも一部の領域が誘電体で覆われてなるミスト生成装置であって、
前記誘電体と前記他方の電極との間に、
前記誘電体に液面が接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴としている。
【００１３】
また、本発明のミスト生成方法は、
パルス電源と、
前記パルス電源の端部に接続された一対の電極とを有し、
前記一対の電極ののうち一方の少なくとも一部の領域が誘電体で覆われてなるミスト生成装置を用いたミスト生成方法であって、
前記双方の誘電体に液面が接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴としている。
【００１４】
また、本発明のミスト生成装置の他の態様は、
パルス電源と、
前記パルス電源の端部に接続された一対の電極とを有し、
前記一対の電極の少なくとも一部の領域が誘電体で覆われてなるミスト生成装置であって、
前記誘電体同士の間に、誘電体が液面に接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴としている。
【００１５】
また、本発明のミスト生成方法の他の態様は、
パルス電源と、
前記パルス電源の端部に接続された一対の電極とを有し、
前記一対の電極の少なくとも一部の領域が誘電体で覆われてなるミスト生成装置を用いたミスト生成方法であって、
前記誘電体同士の間に、誘電体が液面に接するように液体を介在させ、
前記一方の電極が第一の平面を、前記他方の電極が第二の平面を備えている場合は、
前記第一の平面と前記第二の平面とが非平行となるよう、
前記一対の電極を配置させ、
前記一方の電極が複数の突出部を備えている場合は、
前記複数の突出部の一方を第一の点、他方を第二の点と定め、
前記第一の点から前記他方の電極までの最短距離である第一距離と、
前記第二の点から前記他方の電極までの最短距離である第二距離とが異なるよう、
前記一対の電極を配置させ、
前記一対の電極間に、
パルス電圧を印加する
ことを特徴としている。
【発明の効果】
【００１６】
このような構成を有することで、装置の大型化を必要とせずに、様々なミスト生成装置の形状や電極の形状・設置位置でも、液体と誘電体（固相）との間の気相で放電を発生させて、酸化力・殺菌力のある活性種を含むミストを生成し、装置構成が簡単で性能低下が起こりにくいミスト生成装置を提供するミスト生成装置及びミスト生成方法を提供することができる
【図面の簡単な説明】
【００１７】
【図１】本発明の第１の実施形態に係るミスト生成装置の概略的な構成を示す概念図である。
【図２】図１に示したミスト生成装置の作用を説明する概念図である。
【図３】図１に示したミスト生成装置の第１変形例を示す図１に対応する概念図である。
【図４】図１に示したミスト生成装置の第２変形例を示す図１に対応する側方断面図である。
【図５】図１に示したミスト生成装置の第３変形例を示す図１に対応する平面図（図５（ａ））及び側方断面図（図５（ｂ））である。
【図６】本発明の第２の実施形態に係るミスト生成装置の概略的な構成を示す概念図である。
【図７】図６に示したミスト生成装置の第１変形例を示す概念図である。
【図８】図６に示したミスト生成装置の第２変形例を示す側方断面図である。
【図９】図６に示したミスト生成装置の第３変形例を示す平面図（図９（ａ））及び側方断面図（図９（ｂ））である。
【図１０】図９に示した第３変形例の更なる変形例を示す平面図（図１０（ａ））及び側方断面図（図１０（ｂ））である。
【図１１】図６に示したミスト生成装置の第４変形例を示す端面図（図１１（ａ））及び斜視図（図１１（ｂ））である。
【図１２】図１１に示した第４変形例の更なる変形例を示す端面図である。
【図１３】図６に示したミスト生成装置の第５変形例を示す側方断面図である。
【図１４】図６に示したミスト生成装置の第６変形例を示す側方断面図である。
【図１５】図１４に示した第６変形例の更なる変形例を示す側方断面図である。
【図１６】図６に示したミスト生成装置の第７変形例を示す側方断面図である。
【図１７】図１６に示した第７変形例の更なる変形例を示す側方断面図である。
【図１８】本発明に係るミスト生成装置のその他の変形例を示す側方断面図である。
【図１９】本発明に係るミスト生成装置のその他の変形例を示す側方断面図（図１９（ａ））及び上面図（図１９（ｂ））である。
【図２０】本発明に係るミスト生成装置のその他の変形例を示す上面図である。
【図２１】本発明の有用性を立証するための第１変形例の評価試験結果である。
【図２２】本発明の有用性を立証するための第２変形例の評価試験結果である。
【発明を実施するための形態】
【００１８】
以下、本発明の各実施形態及びその実施例に係るミスト生成装置及びミスト生成方法について図面に基づいて説明する。ここで、図１は、本発明の第１の実施形態に係るミスト生成装置の概略的な構成を示す概念図であり、図２は図１に示したミスト生成装置の作用を説明するための概念図である。なお、これらの図においては、構成の理解の容易化を図るために断面ハッチングを省略している（以下、他の図も同様とする）。
【００１９】
本発明の第１の実施形態に係るミスト生成装置１００は、パルス電源１０１と、パルス電源１０１の各端部に接続された円弧状の電極１０２と板状の電極１０３の電極として作用する平面を非平行（それぞれの平面を無限遠に広げた場合に一部でも平面同士が交わる部分があること）に設置し、これら電極１０２，１０３のうち、一方の電極１０２の全表面が誘電体１０５で覆われ、この誘電体１０５と他方の電極１０３との間に一塊の液体として水Ｗが介在している。そして、パルス電源１０１を介して各電極１０２，１０３に印加される電圧によって、水Ｗが電極１０３と同電位になり、電極１０２との間に電位差が生じるため、誘電体１０５と水Ｗの水面とが接する部分において誘電体１０５と水Ｗとの間をその周囲の空気Ａを介して放電させるようになっている（図１の点線で示す放電ＡＤ（Atmospheric discharge）参照）。なお、パルス電源１０１には、高圧パルス電源が用いられている。
【００２０】
このように、誘電体１０５と水W間の角度を大きくすることにより、放電により生成されるミストの拡散範囲が広くなる。そのため、空気Aに届けられるミストの量が増加する。また、一対の電極はどんな曲率でも良く、例えば本装置を他の装置に組み込む場合において、形状の自由度が高い。
【００２１】
ここで、本発明で使用する形状に関する語句の説明を行なう。
（電極が非平行）
それぞれの電極が平面を有している場合は、それぞれの平面を無限遠に広げた場合に一部でも平面同士が交わる部分があることを、電極が非平行であるとする。ただし、それぞれの電極が平面を成し、それらが同一平面上に存在している場合は、それぞれの電極は平行であるとする。また、一方の電極が複数の突出部を有している場合は、それぞれの突出部と他方の電極との距離が一部でも同一でないことを、電極が非平行であるとする。
（電極が非対向）
それぞれの電極において、一方の電極の面の法線ベクトルと、他方の電極の面の法線ベクトルとが交わらない、あるいは重ならないない部分を有することを、電極が非対向であるとする。
【００２２】
水Ｗは純水に限らず、水道水、汚水等どのような水でも良い。また、水以外の液体でも良い。空気Ａも同様に、純空気に限らず、臭気物質や汚染物質、水蒸気を含んだ空気でも良く、また、空気以外の気体でも良い。なお、図１及び図２は本発明の本質的構成を示す概念図であるため、一方の円弧上の電極１０２を覆う誘電体１０５と他方の板状の電極１０３との間に一塊の水Ｗを図示するように介在させる具体的手段については示していないが、これを具体化した態様については第１の実施形態の後述する変形例で明らかにする。
【００２３】
続いて、このような構成を有するミスト生成装置１００を用いたミスト生成方法について説明する。このミスト生成方法を実施するに当って、最初にミスト生成装置１００のパルス電源１０１を介して各電極間にパルス電圧を印加する。これによって、一方の円弧上の電極１０２を覆った誘電体１０５と水Ｗの水面とが接する部分において、図２に示すように、この接する部分の周囲の空気Ａを介して放電が生じる（図２の点線で示す放電ＡＤ参照）。この放電により、例えば気体が空気や酸素の場合、酸素の一部がオゾン（Ｏ３）や酸素原子（Ｏ）、スーパーオキサイドアニオン（Ｏ２−）等反応性に富んだ物質（活性種と呼ぶ）になる。また、液体が水の場合、それらの活性種が水と反応したり、或いは水分子が直接放電の作用を受け、ヒドロキシラジカル（・ＯＨ）や過酸化水素（Ｈ２Ｏ２）等の活性種も生成される。それらの活性種は気相に漂ったり、液相に溶け込んだりして、気相、液相の物質を酸化（分解）や殺菌をし、気相、液相の浄化、改質が可能となると考えられる。特に、誘電体（固相）が放電の作用を直接受けたり、気相や液相で生成した活性種により、付着している物質（例えば汚れ）が除去（浄化）されたり、表面が親水化等の改質をされると考えられる。また、気相や液相に含まれている臭気物質や汚染物質、黴菌が放電の作用を直接受け、他の物質に変化したり、殺菌をし、気相、液相の浄化、改質が行われることもあると考えられる。
【００２４】
また、この放電により、ヒドロキシラジカル（・ＯＨ）や過酸化水素（Ｈ２Ｏ２）等の活性種を含むミストが生成される（図２の点線で示す放電ＡＤ部の周辺参照）。それらのミストが気相を漂うことにより、気相の黴菌が殺菌される。また、ミストが活性種を含むため、気相の臭気物質も変質されると考えられる。
【００２５】
また、気体が空気の場合、放電により窒素酸化物（ＮＯｘ）が生成し、それらが液（水）に溶け込むことで硝酸（ＨＮＯ３）になり、水が酸性水になる（水のｐＨが下がる）効果も期待できる。
【００２６】
気相が空気、液相が水以外の場合でも、それらを形成する分子が放電により解離され、反応性に富んだ物質（例えばラジカル）となり、気相、液相の浄化、改質が可能となる。
【００２７】
また、水に浸した電極１０３から放電することはないので、電極表面の腐食や消耗、それに伴う液体への溶解（液体の汚染）を避けることができる。
【００２８】
このように、電極の表面を誘電体で被覆することにより、放電による電極の劣化を防ぐことができ、一対の電極を非平行に設置しているため、放電により生成されるミストの拡散範囲が広くなる。そのため、生成されるミストの量が増加する。
【００２９】
また、このように、１つのデバイスで活性種を生成し、ミストとして飛散させることができるため、装置の小型化が可能になり、部品点数が少なくて済むため、メンテナンス性も向上する。
さらに、電極や誘電体の形状が単純で良いため、防汚性及び清掃性が高い。
また、電極の表面を誘電体で被覆するため、放電による電極の劣化が生じず、殺菌ミスト生成能力の劣化が生じない。
【００３０】
続いて、上述した第１の実施形態に係るミスト生成装置１００の第１変形例について説明する。図３は、図１に示したミスト生成装置１００の第１変形例に係るミスト生成装置１１０を概略的に示す概念図である。なお、上述の第１の実施形態に係るミスト生成装置１００と同等の構成については、対応する符号を付して詳細な説明を省略する。また、この変形例に係るミスト生成装置１１０の各構成要素の材質等については、上述の第１の実施形態に係るミスト生成装置１００と同様であるので、その詳細な説明を省略する。
【００３１】
この第１変形例に係るミスト生成装置１１０は、第１の実施形態に係るミスト生成装置１００とは異なり、一方の円弧上の電極１１２が誘電体１１５で全体的に覆われておらず、他方の板状の電極１１３と対向する面であってその両端部を除く領域のみが誘電体１１５で覆われている。そして、この一方の電極１１２の誘電体１１５と他方の電極１１３との間に一塊の水Ｗが介在している。なお、この変形例においても水Ｗを電極間に介在させる具体的手段については図示省略する。
【００３２】
このような一方の電極１１２を全て誘電体１１５で覆わず、液面が接する部分だけを覆う簡単な構成によっても第１の実施形態に係るミスト生成装置１００と同等の作用効果を生じる。
【００３３】
具体的には、高圧パルス電源からなるパルス電源１１１を介してミスト生成装置１１０の各電極１１２，１１３にパルス電圧を印加することで、一方の電極１１２の一部を覆う誘電体１１５と水Ｗの水面とが接する部分において誘電体１１５との水Ｗとの間に空気Ａを介して放電を生じさせ（図３における点線で示す放電ＡＤ参照）、第一の実施形態と同様の効果を得ることができる。
【００３４】
続いて、本発明の第１の実施形態の第２変形例について説明する。図４は図１に示したミスト生成装置１００の第２変形例に係るミスト生成装置１２０を概略的に示す側方断面図であり、図１に比べてより実際の使用形態に近づけた構成を示している。なお、上述の第１の実施形態及びその第１変形例に係るミスト生成装置１００，１１０と同等の構成については対応する符号を付して詳細な説明を省略する。
【００３５】
この第２変形例に係るミスト生成装置１２０は、第１の実施形態に係るミスト生成装置１００をより実際の使用態様に適した形で具現化した変形例である。この第２変形例に係るミスト生成装置１２０は、水Ｗが容器１２４内に溜められ、誘電体１２５で覆われた一方の電極１２２の一部と、誘電体で周囲が覆われていない他方の電極１２３の一部が水Ｗに浸されている。第２変形例に係るミスト生成装置１２０がこのような構成を有していても、上述した第１の実施形態及びその第１の変形例と同等の作用効果を発揮することができる。
【００３６】
具体的には、高圧パルス電源からなるパルス電源１２１を介して各電極１２２，１２３にパルス電圧を印加することで、一方の電極１２２の一部を覆う誘電体１２５と水Ｗの水面とが接する部分において誘電体１２５との水Ｗとの間に空気Ａを介して放電を生じさせる（図４における点線で示す放電ＡＤ参照）。この放電によって、第一の実施形態と同様の効果を得ることができる。
【００３７】
また、このような作用効果に加えて、水面に接した空気Ａに漂っている活性種によって容器１２４の水面から突出した容器内壁１２４ａの酸化や殺菌が行われ、容器内壁１２４ａを浄化や改質することができる。また、水中に溶け込んだ活性種やＨＮＯ３により水中の容器内壁１２４ｂを酸化や殺菌して、容器内壁１２４ｂも浄化や改質をされることが期待できる。その結果、この変形例によるミスト生成装置１２０を用いることで、容器内１２４の水Ｗや空気Ａ、誘電体１２５の改質や浄化を行うだけでなく、容器内壁１２４ａ，１２４ｂの容器内壁の浄化も期待できる。
【００３８】
続いて、本発明の第１の実施形態の第３変形例について説明する。図５は、図１に示した片側のみ誘電体で被覆するミスト生成装置の第３変形例を概略的に示すミスト生成装置１３０で、図５（ａ）は装置上面図、図５（ｂ）は装置側方断面図であり、図１に比べてより実際の使用形態に近づけた構成を示している。なお、上述の実施形態及びその各種変形例と同等の構成については対応する符号を付して詳細な説明を省略する。
【００３９】
この第３変形例に係るミスト生成装置１３０は、具体的には、円筒状の電極容器１３３内に水Wを入れ、外周を誘電体１３４を被覆した直方体電極１３２を水Wに入れる。この場合も、円筒状の電極１３３と直方体電極１３２は非平行となる。そして、高電圧パルスを一対の電極１３２，１３３に印加することにより、誘電体１３４と水Wの間の空気Aを介して放電が生じる（図５における点線で示す放電AD参照）。
【００４０】
このような構成によって、容器１３４の周囲と水Ｗの水面とが接する部分で空気Ａを介して放電するため、上述した容器内の水Ｗや空気Ａ、誘電体１３４、即ち反応容器内部の改質、浄化が可能となる。
【００４１】
続いて、本発明の第２の実施形態に係るミスト生成装置について説明する。図６は、本発明の第２の実施形態に係るミスト生成装置２００の概略的な構成を示す概念図である。なお、上述の実施形態及びその各変形例と同等の構成については、対応する符号を付して詳細な説明を省略する。この第２の実施形態に係るミスト生成装置２００は、図１に示した第１の実施形態に係るミスト生成装置１００と基本的構成が共通するが、高圧パルス電源からなるパルス電源２０１の両端に接続された電極２０２，２０３の双方が誘電体２０５，２０６で完全に覆われている点で構成が異なっている。なお、図６は本発明の本質的構成を示す概念図であるため、誘電体２０５と誘電体２０６との間に一塊の水Ｗを図示するように介在させる具体的手段については示していないが、これを具体化した態様については第２の実施形態の後述する変形例で明らかにする。
【００４２】
このように電極２０２，２０３をそれぞれ誘電体２０５，２０６で覆うことで、パルス電源２０１の両端に接続された各電極２０２，２０３にパルス電圧を印加すると、水Ｗの電位が電極２０２と２０３の間の電位となり、電極２０２と水Ｗとの間、及び電極２０３と水Ｗとの間に電位差が生じるため、各誘電体２０５，２０６と水Ｗの水面とが接する部分において誘電体２０５，２０６と水Ｗとの間で空気Ａを介して放電を生じさせる（図６の点線で示す放電ＡＤ参照）。
【００４３】
第２の実施形態に係るミスト生成装置２００がこのような構成を有することで、水Ｗと誘電体２０５，２０６との間であって空気Ａを介して生じる放電の箇所をより増やすことができ、短時間の放電によってより多くの活性種を発生させ、それらにより、或いは放電により直接、液相、気相、固相の浄化、改質を行うことができ、より効率良く浄化、改質を進めることができる。
【００４４】
続いて、第２の実施形態の第１変形例に係るミスト生成装置について説明する。図７は、図６に示したミスト生成装置２００の第１変形例に係るミスト生成装置２１０を概略的に示す概念図である。なお、上述の第１及び第２の実施形態並びに第１の実施形態の各種変形例に係るミスト生成装置と同等の構成については対応する符号を付して詳細な説明を省略する。また、この変形例においても一塊の水Ｗを電極間に介在させる具体的手段については図示省略する。
【００４５】
この第１変形例に係るミスト生成装置２１０は、図３に示す第１の実施形態の第１変形例に係るミスト生成装置１１０に対応した構成を有しているが、双方の電極２１２，２１３の一部にそれぞれ誘電体２１５，２１６が密着した状態で備わり、各誘電体間に一塊の水Ｗが介在する構成を有することで第１の実施形態の第１変形例１１０と構成が異なっている。この第１変形例に係るミスト生成装置２１０によっても、上述した第２の実施形態に係るミスト生成装置２００と同様に２つの誘電体２１５，２１６と水Ｗの水面とが接する部分で両者間に空気Ａを介してより広い領域で放電（図７の点線で示す放電ＡＤ参照）を生じさせることができるので、液相、気相、固相の浄化、改質をより効率良く進めることができる。
【００４６】
続いて、第２の実施形態の第２変形例に係るミスト生成装置について説明する。図８は、図６に示したミスト生成装置２００の第２変形例に係るミスト生成装置２２０を示す側方断面図であり、図６に比べてより実際の使用形態に近づけた構成を示している。なお、この変形例に係るミスト生成装置２２０は、上述の第１の実施形態の第２変形例に係るミスト生成装置１２０に対応した構成を有しているので、同等の構成については対応する符号を付して詳細な説明を省略する。
【００４７】
この第２の実施形態の第２変形例に係るミスト生成装置２２０は、第１の実施形態の第２変形例に係るミスト生成装置１２０とは異なり、双方の電極２２２，２２３が誘電体２２５，２２６で覆われ、この双方の誘電体２２５，２２６の一部がそれぞれ容器２２４に溜まった水Ｗに浸されている。この第２変形例に係るミスト生成装置２２０がこのような構成を有することで、上述の第２の実施形態及びその第１変形例に係るミスト生成装置２００，２１０と同様に、誘電体２２５，２２６と水Ｗの水面とが接する部分で空気Ａを介して生じさせる放電の領域を広めることができ（図８における点線で示す放電ＡＤ参照）、第１の実施形態の第２変形例に係るミスト生成装置１２０に比べて液相、気相、固相の浄化、改質をより効率良く進めることができる。
【００４８】
続いて、第２の実施形態の第３変形例に係るミスト生成装置について説明する。図９は、図６に示した一対の電極を誘電体で被覆したミスト生成装置２００の第３変形例２３０を示す図であり、図６に比べてより実際の使用形態に近づけた構成を示している。そして、図９（ａ）が装置上面図、図９（ｂ）が装置側方断面図である。なお、上述の第１、第２実施形態及びその各種変形例と同等の構成については、対応する符号を付して詳細な説明を省略する。
【００４９】
この第３変形例に係るミスト生成装置２３０は、図９（ｂ）に示すように高圧パルス電源からなるパルス電源２３１の両端に接続された円弧状電極２３２，２３３が、誘電体からなる円筒状容器２３４の側壁外側であって周方向に端部２３２ａ，２３３ａ（図９（ａ）参照）が互いに若干離間した位置に密着させて一対の電極が非平行に取り付けられている。端部２３２ａと２３３ａの間は、電極２３２と２３３の間で沿面放電が発生するのを防ぐために、絶縁体２３６で絶縁している。なお、端部２３２ａと２３３ａが十分離れている場合等、電極２３２と２３３の間で沿面放電が起こらない場合は、絶縁体２３６は必ずしも必要ではない。また、人等が電極に接触する危険を防ぐために、電極２３２と２３３の外周全体を絶縁体で覆っても良い。
【００５０】
この第３変形例に係るミスト生成装置２３０の各電極２３２，２３３が容器周方向をそれぞれ半分程度覆う構成を有することで、図９（ａ）の放電ＡＤに示すように容器内壁２３４ａの水Ｗの水面とが接する部分全体に亘って放電を生じさせることができるようになる。これによって、容器内の広い領域に亘って放電を生じさせることができるようになるので、液相、気相、固相、即ち反応容器内部の浄化、改質をより効率良く進めることができる。
【００５１】
続いて、上述した第２の実施形態の第３変形例の更なる変形例について説明する。なお、この第３変形例と同等の構成については、対応する符号を付して詳細な説明を省略する。この更なる変形例に係るミスト生成装置２３０’は、上述した図９に示す第３変形例のミスト生成装置２３０と基本的構成が共通するが、ここでは詳細には示さない傾斜アクチュエータを特別に有しており、図１０（ｂ）に示すように一方の電極２３２’に対応する容器内壁部の接水面積が他方の電極２３３’に対応する容器内壁部の接水面積より小さくなるようにしている。
【００５２】
本発明では液相を電極とみなすことができ、液相と電極の間の誘電体をコンデンサとみなすことができる。図１０のように容器２３４’を積極的に傾けることで、一方の電極２３２’と水Ｗとの間で形成されるコンデンサの静電容量が、他方の電極２３３’と水Ｗとの間で形成されるコンデンサの静電容量よりも小さくなる。これによって、静電容量の小さい一方の電極２３２’側で水Ｗとの電位差を大きくできるので、電極２３２’側で容器内壁と水Ｗの接触する部分の近傍であって容器２３４’と水Ｗの水面とが接する部分に空気Ａを介して放電を生じさせることができる（図１０（ａ），（ｂ）の放電ＡＤ参照）。
【００５３】
その結果、各電極２３２’，２３３’が接続されるパルス電源２３１’の電圧を上述した第２の実施形態及びその変形例のように高くしなくて済む。即ち、第１の実施形態及びその各変形例に係るミスト生成装置のパルス電源と同程度のパルス電源で放電を生じさせることができるようになる。
【００５４】
続いて、上述した第２の実施形態の第４変形例について説明する。図１１は、図６に示したミスト生成装置２００の第４変形例に係るミスト生成装置２４０を示し、図１１（ａ）がミスト生成装置２４０の管路長手方向から見た端面図、図１１（ｂ）がミスト生成装置２４０の斜視図である。なお、上述した各実施形態及びその各種変形例と同等の構成については、対応する符号を付して詳細な説明を省略する。
【００５５】
この第４変形例に係るミスト生成装置２４０は、上述した各ミスト生成装置とは異なり、誘電体でできた管路２４４と、管路２４４の側方外周壁２４４ａであって管路半径方向にそれぞれ対向して密着状態で取り付けられた２つの電極２４２，２４３と、電極２４２，２４３にパルス電圧を印加する高圧パルス電源からなるパルス電源２４１を備えている。そして、パルス電源２４１を介して電極２４２，２４３にパルス電圧を印加することで、図１１（ａ）に示すように各電極２４２，２４３に対応する管路２４４と流れている水Ｗの水面とが接する部分に空気Ａを介して放電を生じさせる（図１０（ａ）における放電ＡＤ参照）。
【００５６】
誘電体からなる管路２４４は、図１１（ｂ）に示すように、一方から水Ｗが流入し、他方に水Ｗが流出するようになっているので、この放電によって生じる活性種によって、或いは放電により直接、流れている液相、気相、固相即ち管路２４４の内壁の浄化、改質をすることができる。
【００５７】
この第２の実施例の第４変形例に係るミスト生成装置２４０と第３変形例２３０の装置構成からわかるように、一対の電極間に一塊の液体が存在すれば、縦置き，横置き，斜め置きに設置しても、また水位が変化しても、液相、気相、固相の浄化や改質を行なうことができる。一対の電極を円筒状の容器に平行に設置しようとすると、電極の面積が極端に小さくなり、気相・液相・固相の浄化、改質の効率が低下する。よって、円筒状・管状の容器に一対の電極を平行に取り付けつつ、処理効率を維持することはできない。また、図１１のように、一対の電極が非平行（円弧状）なため、一般的な配管で起こりうる水位の変化に対応できる。
【００５８】
続いて、上述した第２の実施形態の第４変形例に係るミスト生成装置２４０の更なる変形例に係るミスト生成装置２４０’について説明する。図１２は、図１１に示した第４変形例の更なる変形例に係るミスト生成装置２４０’を示す図１１（ａ）に対応する端面図である。この更なる変形例に係るミスト生成装置２４０’について第４の実施形態に係るミスト生成装置２４０と同等の構成については、対応する符号を付して詳細な説明を省略する。
【００５９】
この更なる変形例に係るミスト生成装置２４０’は、図１０に示した第３変形例に係るミスト生成装置２４０と基本的に同等の構成を有するが、図１０に示す第３変形例の更なる変形例と同様に特別なアクチュエータを備えている。このアクチュエータは、図１２では詳細には示さないが、管路２４４’を軸線廻りに回転させる回転アクチュエータであり、この回転アクチュエータで管路２４４’の外周壁に密着した一方の電極２４２’に対応する管路２４４’の接水面積を他方の電極２４３’に対応する管路２４４’の接水面積よりも小さくさせる。
【００６０】
この回転アクチュエータの作用によって、一方の電極２４２’と水Ｗとの間に形成されるコンデンサの静電容量が他方の電極２４３’と水Ｗとの間で形成されるコンデンサの静電容量よりもかなり小さくなる。これによって、一方の電極２４２’と水Ｗとの電位差を大きくできるので、電極２４２’に対応する管路２４４’と水Ｗの水面とが接する部分において空気Ａを介して放電が起こり易くなる（図１２における放電ＡＤ参照）。
【００６１】
この更なる変形例がこのような構成を有することで、上述した第２の実施形態の第３変形例の更なる変形例と同様に第１の実施形態及びその変形例に用いたパルス電源と同程度の小型のパルス電源で放電を効率的に起こさせることができる。
【００６２】
続いて、上述した第２実施形態の第５変形例について説明する。図１３は、図１１に示した一対の電極に誘電体を被覆したミスト生成装置２４０の第５変形例に係るミスト生成装置２５０を示す。なお、上述した各実施形態及びその各種変形例と同等の構成については、対応する符号を付して詳細な説明を省略する。
【００６３】
この第５変形例に係るミスト生成装置２５０は、基本構成は図９の第２の実施形態の第３変形例２３０と基本的に同等であるが、高圧パルス電源からなるパルス電源２６１の両端に接続された円弧状の電極２５２,２５３を誘電体からなる容器２５４の側壁内側に有しており、一対の電極上の誘電体に一塊の水Wが接するように容器２５５内に水Wを介在させる。すなわち、一対の電極の作用する面が非対向に設置されている構成となっている。
【００６４】
これによって、図９の第２の実施形態の第３変形例２３０と同等の効果を得ることが出来る。また、この場合も、一対の電極間に一塊の水Wが存在すれば、縦置き，横置き，斜め置きに設置しても、また水位が変化しても、液相、気相、固相の浄化や改質を行なうことができる。このように、容器２５５に投げ込む形の電極でも、非平行に設置することができ、放電により生成されるミストの拡散範囲が広くなる。すなわち、空気Aに届けるミスト量を増加することができる。
【００６５】
続いて、第２実施形態の第６変形例について説明する。図１４は、図６に示したミスト生成装置２００の第５変形例に係るミスト生成装置２６０を示す。なお、上述した各実施形態及びその各種変形例と同等の構成については、対応する符号を付して詳細な説明を省略する。
【００６６】
この第６変形例に係るミスト生成装置２６０は、高圧パルス電源からなるパルス電源２６１の両端に接続された板状の電極２６２,２６３を誘電体からなるV字型の容器２６４の側壁外側に一対の電極が非平行になるようにそれぞれ有しており、一対の電極と接する誘電体に一塊の水Wが接するように容器２６４内に水Wを介在させる。
【００６７】
これによって、V字型の様な水量が極端に少なくなった場合でも一塊の水Wを形成できる容器においても効率良く電極を設置することができる。図９の第２の実施形態の第３変形例２３０と同等の効果を得ることが出来る。また、この場合も、一対の電極間に一塊の水Wが存在すれば、三角柱の形状として縦置き，横置き，斜め置きに設置しても、また水位が変化しても、液相、気相、固相の浄化や改質を行なうことができる。
【００６８】
続いて、上述した第２実施形態の第６変形例の更なる変形例について説明する。図１５は、図１４に示したミスト生成装置２６０の更なる変形例に係るミスト生成装置２６０’を示す。なお、上述した各実施形態及びその各種変形例と同等の構成については、対応する符号を付して詳細な説明を省略する。
【００６９】
この第６変形例に係るミスト生成装置２６０’は、基本構成は第２の実施形態の第６変形例と基本的に同等であるが、電極２６３’の下端がV字型容器の凸部に接するよう、電極２６３’を移動させた形状をしており、一対の電極２６２’,２６３’が非対向に設置されている。
【００７０】
これによって、図９の第２の実施形態の第３変形例２３０と同等の効果を得ることが出来る。また、この場合も、一対の電極間に一塊の水Wが存在すれば、三角柱の形状として縦置き，横置き，斜め置きに設置しても、また水位が変化しても、液相、気相、固相の浄化や改質を行なうことができる。図１４、図１５からわかるように、製造時の電極設置位置の精度を厳密にする必要がない。
【００７１】
続いて、第２実施形態の第７変形例について説明する。図１６は、図６に示した一対の電極に誘電体を被覆するミスト生成装置２００の第７変形例に係るミスト生成装置２７０を示す。なお、上述した各実施形態及びその各種変形例と同等の構成については、対応する符号を付して詳細な説明を省略する。
【００７２】
この第７変形例に係るミスト生成装置２７０は、高圧パルス電源からなるパルス電源２７１の両端に接続された板状の電極２７２,２７３を誘電体からなるコの字型の容器２７４（開放部を上とする）の外側に有しており、電極２７２は側壁、電極２７３は底部と側壁に設置されL字型となっている。さらに、一対の電極と接する誘電体に一塊の水Wが接するように容器２６４内に水Wを介在させる。
【００７３】
これによって、図９の第２の実施形態の第３変形例２３０と同等の効果を得ることが出来る。また、この場合も、一対の電極間に一塊の水Wが存在すれば、縦置き，横置き，斜め置きに設置しても、また水位が変化しても、液相、気相、固相の浄化や改質を行なうことができる。
【００７４】
続いて、上述した第２実施形態の第７変形例の更なる変形例について説明する。図１７は、図１６に示したミスト生成装置２７０の更なる変形例に係るミスト生成装置２７０’を示す。なお、上述した各実施形態及びその各種変形例と同等の構成については、対応する符号を付して詳細な説明を省略する。
【００７５】
この第７変形例に係るミスト生成装置２７０’は、基本構成は第２の実施形態の第７変形例と基本的に同等であるが、電極２６３’、２６２’が底部と側壁に設置されL字型となっている。
【００７６】
これによって、図９の第２の実施形態の第３変形例２３０と同等の効果を得ることが出来る。また、この場合も、一対の電極間に一塊の水Wが存在すれば、縦置き，横置き，斜め置きに設置しても、また水位が変化しても、液相、気相、固相の浄化や改質を行なうことができる。
【００７７】
本発明に係るミスト生成装置のその他の変形例として、図１８の一方の電極のみを誘電体で被覆したミスト生成装置について説明する。容器２８５内に高圧パルス電源からなるパルス電源２８１の両端に接続された誘電体に覆われた円筒状の電極２８２と、電極２８２の周囲を螺旋状の電極２８３とを有しており、円筒状の電極２８２と螺旋状の電極２８３との距離が一定に保たれていない部分を有する（図１８の両端を矢印で示す距離αと距離β）。また、一対の電極と接する誘電体に一塊の水Wが接するように容器２８５内に水Wを介在させる。
【００７８】
このように、板状や円弧状の電極だけでなく、線状の電極においても、図９の第２の実施形態の第３変形例２３０と同等の効果を得ることが出来る。また、この場合も、一対の電極間に一塊の水Wが存在すれば、縦置き，横置き，斜め置きに設置しても、また水位が変化しても、液相、気相、固相の浄化や改質を行なうことができる。
【００７９】
続いて、本発明に係るミスト生成装置のその他の変形例として、図１９の一対の電極を誘電体で被覆したミスト生成装置について説明する。図１９（b）はミスト生成装置の上面図、図１９（a）は図１９（b）の断面Aから矢印の方向に見たときのミスト生成装置の断面図を示す。円筒状の容器２９４は誘電体でできており、容器２９４の外周に高電圧パルスからなるパルス電源２３１の両端に接続された、くし歯状（上面図）且つ円弧状（断面図）の電極２９２,２９３をくし歯が円筒状誘電体２９４の外周で容器２９４の底部に向かって噛み合うように設置する。
【００８０】
水Wが円筒状誘電体２９４内で留まっている、または流水しているときに、高電圧パルスを印加すると、くし歯状電極２９２，２９３上の円筒状誘電体２９４と水Wの間の空気Aで放電する（図１９の点線で示すAD）。
【００８１】
これにより、極端に水量が少なく、残水で水滴ができる状態でも、くし歯状に電極が配置されているため、水滴が一対の電極上の誘電体に存在すれば放電させることができる。
【００８２】
続いて、本発明に係るミスト生成装置のその他の変形例として、図２０の一対の電極を誘電体で被覆したミスト生成装置について説明する。図２０はミスト生成装置の上面図を示す。一対の板状電極３０２，３０３はコの字型に誘電体３０４，３０５に被覆されており、残りの1面は絶縁体３０６，３０７で被覆されている。このとき、電極３０２，３０３の位置関係はT字に設置されており、平面を無限遠に広げた場合に平面が交わるため、電極３０２，３０３は非平行である。水WはT字の横側から流れる（図２０の矢印の方向）。
【００８３】
水Wが円筒状誘電体２９４内で留まっている、または流水しているときに、高電圧パルスを印加すると、くし歯状電極２９２，２９３上の円筒状誘電体２９４と水Wの間の空気Aで放電する（図１９の点線で示すAD）。さらに、水Wの流量が多い場合には、T字の電極３０２，３０３に水Wが衝突することにより、水Wの速度を一定速度に制御することができる。
【００８４】
なお、上述した各実施形態及びその変形例で使用する電極の材料は、導体であれば何れでも良く、例えば金属であれば銅、銀、アルミニウム、チタンやそれらの合金等の何れも使用でき、非金属であっても、使用する液体よりも電気伝導度が低いものであれば、例えば導電性のセラミックスや樹脂等でも使用可能である。
【００８５】
また、上述した各実施形態及びその変形例で使用する誘電体としての材料として、アルミナ等の非導電性のセラミックス、又はガラス、樹脂等の材料を使用しても良い。
【００８６】
誘電体の厚さは、用いる材料やパルス電源の電圧にもよるが、０．１μｍから１０ｍｍが良い。
【００８７】
液体の容器又は流路は全体を誘電体で構成されても良く、或いは容器又は流路の少なくとも一部、即ち液面近傍を誘電体で構成されても良い。
【００８８】
また、上述した各実施形態及びその変形例で使用する、安全面や電極間での放電を防止するために用いる絶縁体の材料としては、樹脂や絶縁性のセラミックス、ガラス等絶縁性を有していればどのような材料でも使用可能である。
【００８９】
また、本発明における液体の種類としては、上述した実施形態では液体として水を用いたが、純水や水道水や汚水等の水の他、有機溶媒や油等、どのような液体を用いても良い。
【００９０】
上述した各実施形態及びその変形例では気体として通常の空気を用いたが、臭気物質等不純物を含んだ空気や、空気に限らず、酸素、窒素、水蒸気、ヘリウム等如何なる気体であっても良い。
【００９１】
また、第２の実施形態の第２変形例、第３変形例の更なる変形例のような特別なアクチュエータを備えることなく、単に一方の電極側の静電容量を他方の電極側の静電容量より小さくしても、一方の電極側においてのみ放電を生じさせることができ、小型のパルス電源を用いた簡単な構成のミスト生成装置とすることが可能となる。この場合の電極と液体との間に生じる電位差の変化のさせ方は、２つのコンデンサを構成する、各電極に対応する誘電体と水Wとの接触面積をそれぞれ異なるようにしたり、各誘電体の誘電率をそれぞれ異なるようにしたり、各誘電体の厚みをそれぞれ異なるようにしたり何れの方法をとることも可能である。
【００９２】
本発明で使用するパルス電圧に関する語句の説明を行う。
（パルス電圧）
ある一定パルス周期をもって変化する電圧であり、その波形は、正弦波、ノコギリ波、矩形波も含む。電圧が正極性もしくは負極性に偏った直流電圧でも良く、電圧が正極性と負極性を行き来する交流電圧であっても良い。また、一定電圧を保持する時間が存在しても良く、パルス上昇時間Ｔ１とパルス下降時間Ｔ２が同じでも、異なっていても良い。
パルス周波数は、電圧や誘電体の材質、厚さにもよるが、５０Ｈｚから１ＭＨｚが良く、好ましくは１００Ｈｚから５００ｋＨｚ、より好ましくは１ｋＨｚから１００ｋＨｚが良い。
【００９３】
（パルス電源）
パルス電圧を発生することができる電源。
（パルス電圧値Ｖｐ−ｐ）
パルス電圧における最大電位と最小電位との電位差である。
電極に印加するパルス電圧値Ｖｐ−ｐは、誘電体の材質、厚さにもよるが、３００Ｖｐ−ｐから３００ｋＶｐ−ｐが良く、好ましくは１ｋＶｐ−ｐから１００ｋＶｐ−ｐ、より好ましくは３ｋＶｐ−ｐから３０ｋＶｐ−ｐが良い。
【００９４】
（パルス上昇時間Ｔ１）
パルス電圧が連続して増加している時間のことを指し、電圧が増加に転ずる変曲点から、極大点までの時間である。
パルス上昇時間Ｔ１は、電圧や誘電体の材質、厚さにもよるが、
３マイクロ秒から１０ミリ秒が良く、
好ましくは、４マイクロ秒から５ミリ秒、
より好ましくは、５マイクロ秒から０．５ミリ秒が良い。
【００９５】
（パルス下降時間Ｔ２）
パルス電圧が連続して減少している時間のことを指し、電圧が減少に転ずる変曲点から次の極小点までの時間である。
パルス下降時間Ｔ２は、電圧や誘電体の材質、厚さにもよるが、
３マイクロ秒から１０ミリ秒が良く、
好ましくは、４マイクロ秒から５ミリ秒、
より好ましくは、５マイクロ秒から０．５ミリ秒が良い。
【００９６】
（パルス周期Ｔ３）
パルス電圧の最大値から次の最大値までの時間である。
（パルス周波数）
パルス周期Ｔ３の逆数である。
【実施例】
【００９７】
続いて、上述した実施形態及びその各種変形例に関連して本発明の有用性を立証する評価試験を行ったので、その評価試験結果を説明する。
【００９８】
図２１に評価試験結果を示す第１実施例について説明する。この第１実施例では、本発明を実施するにあたって、上述した第２実施形態の第４変形例に係るミスト生成装置２４０（図１１参照）を用いて測定データを取り、水を流した状態でヨウ化カリウム（ＫＩ）の酸化反応を行った。
【００９９】
この評価試験の条件としては、０．１ｍｏｌ／ＬのＫＩ水溶液を図１１に相当するミスト生成装置に流し、反応後のI３−濃度を可視紫外分光光度計で測定した。ミスト生成装置の概略スペックは、電極材料として銀を使用し、誘電体として厚さ１ｍｍのガラスを用い、放電部をなす電極の長さを２５０ｍｍとし、印加したパルス電圧は、パルス周波数を２８ｋＨｚの正弦波で、パルス上昇速度およびパルス下降速度は、１８マイクロ秒とし、パルス電圧値Ｖｐ−ｐを１８ｋＶｐ−ｐとした。
【０１００】
図２１に示す評価試験結果から分かるように、電極にパルス電圧を印加することで、ヨウ化カリウムの酸化反応が進み、本発明のミスト生成装置によって液相での物質の酸化が可能なことが立証できた。
【０１０１】
続いて、図２２に評価試験結果を示す第２実施例について説明する。この第２実施例では、本発明を実施するにあたって、上述した第２実施形態の第３変形例に係るミスト生成装置２３０（図９参照）を用いて測定データを取り、有機塩素化合物の分解を行った。
【０１０２】
この評価試験の条件としては、２ｍｍｏｌ／Ｌの有機塩素化合物（クロロベンゼン）水溶液２．５ｍｌを図９に相当するミスト生成装置に入れて電圧を印加し、分解生成物の塩素イオン（Ｃｌ−）濃度をイオンクロマトグラフィシステムで測定した。ミスト生成装置の概略スペックは、電極材料として銀を使用し、誘電体として厚さ１ｍｍ、内径１４ｍｍのガラス容器を用い、印加したパルス電圧は、パルス周波数を２８ｋＨｚの正弦波で、パルス上昇速度およびパルス下降速度は、１８マイクロ秒とし、パルス電圧値Ｖｐ−ｐを１８ｋＶｐ−ｐとした。
【０１０３】
図２２に示す評価試験結果から分かるように、電極にパルス電圧を印加していくことでクロロベンゼンが分解され、本発明のミスト生成装置によって液相での分解が可能なことが立証できた。
【０１０４】
以上の２つの評価試験結果から分かるように、本発明によるミスト生成装置を用いたミスト生成方法を実施すると、気相での放電で生成して液相に溶け込んだ活性種や、液相へ放電が直接作用することにより、液相での酸化や分解反応が進むことが立証でき、液相と誘電体（固相）との間の気相で発生する放電により、気相のみならず、その周辺（液相や固相）も作用を受けることが示された。
【０１０５】
続いて、第３実施例について説明する。この第３実施例では、本発明を実施するにあたって、上述した第２実施形態の第４変形例に係るミスト生成装置２４０（図１１参照）を用いて測定データを取り、水を流した状態で、オゾンガス生成量を評価した。
【０１０６】
この評価試験の条件としては、水道水を図１１に相当するミスト生成装置に流しながら、空気を３Ｌ／分で混入し、ミスト生成装置の出口側から排出されるオゾンガスの濃度を検知管で測定した。ミスト生成装置の概略スペックは、電極材料として銀を使用し、誘電体として厚さ１ｍｍのガラスを用い、放電部をなす電極の長さを２５０ｍｍとし、印加したパルス電圧は、パルス周波数を２８ｋＨｚの正弦波で、パルス上昇速度およびパルス下降速度は、１８マイクロ秒とし、パルス電圧値Ｖｐ−ｐを１８ｋＶｐ−ｐとした。
【０１０７】
評価試験結果、ミスト生成装置の出口側から排出されるオゾンガスの濃度は４８０ｐｐｍであった。評価試験結果から分かるように、電極にパルス電圧を印加することで、空気中の酸素が電離・結合し、酸化力の強いオゾンガスが生成され、本発明のミスト生成装置によって液相での物質の酸化が可能なことが立証できた。
【０１０８】
以上説明したように、本発明によると、電源の大型化を必要とせずに、設計の自由度が高い、気相および液相の浄化や改質を可能としたミスト生成装置及びミスト生成方法を提供することができる。
【０１０９】
また、簡易の構成で液相と誘電体（固相）との間の気相で放電を発生させて、ミストを発生させ、そのミストによって気相を漂う黴菌を殺菌することができる。また、ミストは活性種を含むため、気相の臭気物質の改質もできると考えられる。
【産業上の利用可能性】
【０１１０】
本発明は、汚れなどが付着しやすい配管や排水口の内面と液面とが接する部分の浄化や改質、水処理プラントや水処理装置等における浄水処理や排水処理、液体の工業的な製造、脱臭や気体清浄機、気体の工業的な製造等に利用することができる。
【符号の説明】
【０１１１】
１００    ミスト生成装置
１０１    パルス電源
１０２，１０３    電極
１０５    誘電体
Ａ    空気
Ｗ    水
ＡＤ    空中放電
Ｔ１    パルス上昇時間
Ｔ２    パルス下降時間
Ｔ３    パルス周期
Ｖｐ−ｐ    パルス電圧値
【図１】
2010167012.tif 000003
【図２】
2010167012.tif 000004
【図３】
2010167012.tif 000005
【図４】
2010167012.tif 000006
【図５】
2010167012.tif 000007
【図６】
2010167012.tif 000008
【図７】
2010167012.tif 000009
【図８】
2010167012.tif 000010
【図９】
2010167012.tif 000011
【図１０】
2010167012.tif 000012
【図１１】
2010167012.tif 000013
【図１２】
2010167012.tif 000014
【図１３】
2010167012.tif 000015
【図１４】
2010167012.tif 000016
【図１５】
2010167012.tif 000017
【図１６】
2010167012.tif 000018
【図１７】
2010167012.tif 000019
【図１８】
2010167012.tif 000020
【図１９】
2010167012.tif 000021
【図２０】
2010167012.tif 000022
【図２１】
2010167012.tif 000023
【図２２】
2010167012.tif 000024